(57)【要約】  【課題】  クレジットカード、診察券等のカード類を確実に保持することができ、しかもカード類の出し入れ作業を容易に行うことができるカードホルダと、このカードホルダを備え、文書、メモ用紙等の各種書類をも必要に応じて綴じ込むことができるカードホルダを備えたファイルを提供すること。  【解決手段】  カードホルダ１０のシート基材１に略矩形のポケットシート材２の底辺部２１及び一方の側辺部２２のみを接合することによって、シート基材１との間でポケット２０を構成し、このポケットシート材２の他方の側辺部２３に被さる押えシート材３を設けた。また、このカードホルダ１０の背部１１に着脱自在に装着されるクリップにより書類を挟持可能なレールホルダや他のカードホルダを綴じ込んでファイルを構成した。  【選択図】  図１
2005178286.tif 000002
【特許請求の範囲】
【請求項１】
カードを収納し得る一又は複数のポケットを備えたカードホルダであって、
シート基材と、
該シート基材に、底辺部及び一方の側辺部のみが接合され、該シート基材との間でポケットを構成する略矩形の可撓性ポケットシート材と、
前記シート基材に設けられ、前記ポケットシート材の他方の側辺部に被さる可撓性押えシート材と、
を含むことを特徴としたカードホルダ。
【請求項２】
前記シート基材が、背部と該背部の両側縁に折り曲げ可能に連結された一対の翼部とから成り、該翼部に前記ポケットシート材が配設された請求項１記載のカードホルダ。
【請求項３】
前記シート基材の背部の両側縁に沿って凸部が形成されている請求項２記載のカードホルダ。
【請求項４】
前記請求項２又は請求項３記載のカードホルダと、
該カードホルダの背部に着脱可能に装着され、書類または他のカードホルダの背部を挟持するクリップと、
を含むことを特徴とするカードホルダを備えたファイル。
【請求項５】
前記請求項２又は請求項３記載のカードホルダと、
背板部と該背板部の両側縁に対向状態に設けられた一対の挟持部とから構成され、該挟持部の弾性復帰力により該挟持部間で書類を挟持するレールホルダと、
該レールホルダの背板部に着脱可能に装着され、前記カードホルダの背部を挟持するクリップと、
を含むことを特徴とするカードホルダを備えたファイル。
【請求項６】
前記クリップが、一対のクリップ板と、該クリップ板の一方の端部を連結する連結部とから成る請求項４または請求項５記載のカードホルダを備えたファイル。
【発明の詳細な説明】
【技術分野】
【０００１】
本発明は、カードホルダ、及びこのカードホルダを備えたファイルに関し、より詳しくは、クレジットカード、診察券等のカード類を収納することのできるカードホルダと、このカードホルダを備えるとともに、各種文書、メモ用紙等の書類をも綴じ込むことができるカードホルダを備えたファイルに関する。
【背景技術】
【０００２】
従来、カード類を収納することができるカードホルダとして、特許文献１に記載のものが知られている。これは、手帳の裏表紙の内側に略矩形のポケットを設け、このポケットにカード類を収納するものである。
【０００３】
しかしながら、このカードホルダは、ポケットの底辺部及び両側の側辺部の三辺が手帳に接合されて構成されていたため、カード類を出し入れするための開口部は、ポケットの上辺部にだけ形成されていた。したがって、収納したカード類を確実に保持できる反面、カード類の出し入れに手間がかかる難点があった。また、この従来のカードホルダが手帳に固定されていたため、カード収納枚数が限定され、融通性に難があった。
【特許文献１】実開昭６２−１２１９７７号公報
【発明の開示】
【発明が解決しようとする課題】
【０００４】
本発明は、従来のカードホルダに上記のような難点があったことに鑑みて為されたもので、カード類を確実に保持することができ、それでいてカード類の出し入れ作業の容易なカードホルダを提供することにある。
【０００５】
また、本発明の他の技術的課題は、複数の上記カードホルダを適宜に増減させて綴じ込むことができ、更に文書、メモ用紙等の各種書類をも必要に応じて綴じ込むことができるカードホルダを備えたファイルを提供することにある。
【課題を解決するための手段】
【０００６】
本発明は、カードを収納し得る一又は複数のポケットを備えたカードホルダであって、シート基材と、該シート基材に、底辺部及び一方の側辺部のみが接合され、該シート基材との間でポケットを構成する略矩形の可撓性ポケットシート材と、前記シート基材に設けられ、前記ポケットシート材の他方の側辺部に被さる可撓性押えシート材と、を含むことを特徴とする。
【０００７】
また、本発明のカードホルダは、前記シート基材が、背部と該背部の両側縁に折り曲げ可能に連結された一対の翼部とから成り、該翼部に前記ポケットシート材が配設されていることを特徴とする。
【０００８】
更にまた、本発明のカードホルダは、前記シート基材の背部の両側縁に沿って凸部が形成されていることを特徴とする。
【０００９】
また、本発明のカードホルダを備えたファイルは、上記カードホルダと、該カードホルダの背部に着脱可能に装着され、書類または他のカードホルダの背部を挟持するクリップと、を含むことを特徴とする。
【００１０】
更にまた、本発明のカードホルダを備えたファイルは、上記カードホルダと、背板部と該背板部の両側縁に対向状態に設けられた一対の挟持部とから構成され、該挟持部の弾性復帰力により該挟持部間で書類を挟持するレールホルダと、該レールホルダの背板部に着脱可能に装着され、前記カードホルダの背部を挟持するクリップと、を含むことを特徴とする。
【００１１】
更にまた、本発明のカードホルダを備えたファイルは、前記クリップが、一対のクリップ板と該クリップ板の一方の端部を連結する連結部とから成ることを特徴とする。
【発明の効果】
【００１２】
本発明に係るカードホルダは、ポケットシート材の上辺部だけでなく、片側の側辺部もポケットの開口部としているので、たとえカードがシート面に対し斜めに差し入れられても、ポケットシート材の上辺部と共に、片側の側辺部も移動してポケット開口部が拡がることになる。したがって、カード類を容易にポケット内に差し入れることができる。
【００１３】
しかも、本発明に係るカードホルダは、開口した片側の側辺部に被せるように押えシート材を設けているので、この押えシート材によってポケットに収納したカード類を押えて保持することができ、カード類がポケットから簡単に抜け落ちるようなこともない。
【００１４】
また、本発明に係るカードホルダによれば、カード類をポケットから取り出す際にも、ポケットシート材の上辺部だけでなく片側の側辺部及び押えシート材を移動させてポケット開口部を拡げることができるので、ポケット内に収納されたカードを簡単に起こして指先で摘むことができ、そのまま簡単にカードを取り出すことができる。
【００１５】
更にまた、カードホルダのシート基材を、背部とこの背部の両側縁に折り曲げ可能に連結された一対の翼部とから構成し、翼部にポケットを形成すれば、カードホルダを折り畳むことが可能となり、カード類をコンパクトに収納でき、カードホルダの携帯性を向上させることができる。
【００１６】
また、本発明に係るカードホルダを備えたファイルによれば、カードホルダの背部に着脱可能に装着されるクリップによって、各種書類や他のカードホルダを挟持固定することができるので、必要に応じて複数のカードホルダを適宜に増減させて綴じ込むことが可能となり、従来のようにカード収容枚数が制限されることがない。
【００１７】
更にまた、本発明に係るカードホルダを備えたファイルによれば、クリップによって、カードホルダと共にレールホルダを綴じることができるので、文書、帳票、図面等のシート状物や、これらシート状物が複数枚、積層されたパンフレット、冊子等の各種書類をも必要に応じて綴じ込むことが可能となり、使い勝手の良いファイルを提供することができる。
【００１８】
更にまた、カードホルダのシート基材の背部の両側縁に沿って凸部を形成すれば、背部の長手方向におけるシート基材の曲げ抵抗を高めることができ、カードホルダの形態安定性を向上させることができる。しかも、クリップでカードホルダを綴じた際に、この凸部によってカードホルダの位置ずれを防ぐことができると共に、ファイル自体の形態安定性も向上させることができる。
【発明を実施するための最良の形態】
【００１９】
以下、本発明に係るカードホルダ、及びこのカードホルダを備えたファイルについて、図１〜図４を参照しながら詳しく説明する。まず、図１を参照しながら本実施形態のカードホルダ１０について説明する。
【００２０】
本実施形態のカードホルダ１０は、シート基材１と、このシート基材１に配設され、シート基材１との間でポケット２０を構成するポケットシート材２と、このポケットシート材２の開口部の一部に被さるように配設された押えシート材３とから構成されている。
【００２１】
シート基材１は、合成樹脂シート材から成り、長板形状の背部１１と、この背部１１の長手方向の両側縁に折り曲げ可能に一体に連結された一対の翼部１２とから構成されている。一対の翼部１２を互いに対面させるように折り曲げることによってシート基材１自体を二つ折りすることができる。また、シート基材１の折り曲げ部には各々、凸部１３が形成されており、其処でシート基材１の厚みを大きくしている。このことで、背部１１の長手方向におけるシート基材１の曲げ抵抗を高めるとともに、後述するクリップで綴じた際のカードホルダ１０の位置ずれを防止するようにしている。本実施形態では、折り曲げ部分に直線状の針金１４を挿入して凸部１３を形成している。
【００２２】
ポケットシート材２は、収納すべきカードより若干大きめの略矩形の可撓性を有する合成樹脂シート材から成り、上記シート基材１の翼部１２に接合されてポケット２０を構成する。つまり、ポケットシート材２の底辺部２１及び一方の側辺部２２のみがシート基材１に溶着され（図中、一点鎖線参照）、ポケットシート材２の上辺部２４及び他方の側辺部２３がカード類を出し入れするためのポケット開口部とされている。本実施形態では、シート基材１の翼部１２において背部１１の反対側の外側位置に一方の側辺部２２を接合するとともに、背部１１側の内側位置に他方の側辺部２３を接合せずに開口部としているが、これとは逆に、翼部１２の内側位置に一方の側辺部２２を接合するとともに、翼部１２の外側位置に他方の側辺部２３を接合せずに開口部とすることも可能である。
【００２３】
なお、本実施形態のカードホルダ１０は、背部１１の長手方向に沿って翼部１２に複数のポケットシート材２を、互いにその一部を重ねるように配設しており、複数のポケット２０を背部１１の長手方向に沿って縦列させている。また、図１には、シート基材１の各翼部１２の片面に複数のポケット２０を構成した例を示しているが、各翼部１２の表裏両面にポケットを構成することも可能である。また、本実施形態では、ポケットシート材２の上辺部２４に、カード類の出し入れを更に容易化する突片２５を設けている。
【００２４】
押えシート材３は、長板状の合成樹脂シート材から成り、シート基材１の翼部１２に貼設された基部３１と、この基部３１の長手方向の一側縁に揺動可能に一体に連結された押え部３２とから構成されている。押えシート材３は、ポケットシート材２の内側の側辺部２３の近傍に配設されており、押え部３２がポケットシート材２の側辺部２３に被さるように構成されている。図１には、押えシート材３の押え部３２を起こした状態を図示しているが、押え部３２は通常、ポケットシート材２の側辺部２３に被さっている。また、押えシート材３の押え部３２には、複数のポケット２０の区別をするための複数のラベル３３が貼着されている。また、本実施形態では、縦列配設された複数のポケット２０の各側辺部２３に対し一つの押えシート材３を共通に設けているが、例えば、この押えシート材３の押え部３２をポケット単位に分割し、これら分割した押え部３２で各ポケット２０の側辺部２３を独立して押えるようにしても良い。
【００２５】
このように本実施形態のカードホルダ１０は、ポケットシート材２の上辺部２４だけでなく、内側の側辺部２３もポケット２０の開口部としている。したがって、ポケット２０にカード類を収納する際、指で摘んだカードの先端を上辺部２４とシート基材１との間に差し込んでゆけば、たとえカードがシート面に対し斜めに差し入れられても、上辺部２４と共に、内側の側辺部２３及びこの側辺部２３に被さる押えシート材３の押え部３２も移動してポケット２０の開口部が拡がることになる。このことによって、カード類を容易にポケット２０内に奥まで差し入れることができる。勿論、前もって押え部３２を起こしておいてから、ポケット２０内にカードを差し入れることも可能である。
【００２６】
しかも、本実施形態のカードホルダ１０は、ポケットシート材２の内側の側辺部２３に被せるように押えシート材３を設けているので、この押えシート材３によりポケット２０に収納したカード類を押えて保持することができ、カード類がポケット２０から簡単に抜け落ちるようなこともない。
【００２７】
更にまた、カード類をポケット２０から取り出す際にも、ポケットシート材２の上辺部２４だけでなく、内側の側辺部２３及び押え部３２を移動させてポケット開口部を拡げることができるので、ポケット内に収納されたカードを簡単に起こして指先で摘むことができ、そのまま簡単にカードを取り出すことができる。
【００２８】
更にまた、カードホルダ１０のシート基材１を、背部１１と背部１１の両側縁に折り曲げ可能に連結された一対の翼部１２とから構成し、この翼部１２にポケット２０を形成しているので、カードホルダ１０を折り畳むことができる。したがって、カード類をコンパクトに収納することができ、カードホルダ１０の携帯性を向上させることができる。
【００２９】
なお、上記実施形態では、一のシート基材１に複数のポケット２０を構成しているが、本発明に係るカードホルダは決してこれに限定されるものではなく、例えば、複数のシート基材１の背部１１同士を互いに接合してカードホルダを冊子状に構成しても良い。また、本発明に係るカードホルダを単独で使用できることは勿論であるが、カードホルダを手帳等の裏表紙に取り付けて使用することも可能である。この場合、ポケットホルダ１０のシート基材１を手帳等の裏表紙に貼設しても良く、また、手帳等の裏表紙に直接、ポケットシート材２を接合してポケット２０を構成しても良い。このように裏表紙に直接、ポケットシート材２を接合する場合、手帳等の裏表紙がシート基材１となる。
【００３０】
次に、本発明に係るカードホルダを備えたファイルについて、図２及び図３を参照しながら説明する。
【００３１】
本実施形態のファイル４１は、書類等を挟持するレールホルダ５と、上述したカードホルダ１０と、このカードホルダ１０を保護するカバー６と、これらレールホルダ５、カードホルダ１０、及びカバー６を綴じ合わせるためのクリップ７とから構成されている。
【００３２】
レールホルダ５は、合成樹脂材にて形成されており、図２に示すように、長板状の背板部５１と、背板部５１の長手方向の両側縁に対向状態に設けられた一対の挟持部５２とから構成されている。背板部５１は、上述したカードホルダ１０の背部１１と略同じ長さ、幅を有し、背部１１の両側縁の凸部１３間に配置できるように構成されている。また、一対の挟持部５２は、その上縁部が互いに近接しており、上縁部の間隔を拡げたときの弾性復帰力によって挟持部５２間で書類等を挟持固定する（図３参照）。そして、一対の挟持部５２をその弾性力に抗して拡げれば、書類等を取り外すことができる。図３では、レールホルダ５の挟持部５２間に二つ折りした透明の合成樹脂シート５３を介して書類５４を挟持固定した例を図示しているが、挟持部５２間で直接、書類５４を挟持して綴じ込むようにしても良い。
【００３３】
カバー６は、シート基材１より若干大きめに形成されており、図２に示すように、シート基材１と同様、二つ折り可能に構成されている。このカバー６は、シート基材１より比較的に硬質の合成樹脂シート材で形成されており、カードホルダ１０の外面を覆ってこれを保護する。
【００３４】
クリップ７は、金属板材から曲げ加工して形成されており、図２に示すように、上下二つのクリップ板７１が連結部７２で一体に連結されて構成されている。これら上下のクリップ板７１間で、上記レールホルダ５、カードホルダ１０及びカバー６を挟持してこれらを綴じる。つまり、カードホルダ１０とカバー６とを重ね合せ、カードホルダ１０の背部１１にレールホルダ５を配置した後、レールホルダ５の背板部５１の両端にそれぞれクリップ７を装着することによって、クリップ板７１間でカードホルダ１０及びカバー６を挟持固定するのである（図３参照）。そして、必要に応じて一対のクリップ７をレールホルダ５から外すことによって、カードホルダ１０を取り外すことができる。なお、本実施形態では、クリップ７の上方のクリップ板７１の両側辺に一対のガイド７３を設けている。このことで、クリップ７をレールホルダ５の背板部５１に位置ズレなく安定的に装着することができる。
【００３５】
このように本実施形態のカードホルダを備えたファイル４１は、レールホルダ５の背板部５１に着脱自在に装着するクリップ７によって、レールホルダ５及びカードホルダ１０を挟持固定することができるので、必要に応じて複数のカードホルダ１０を適宜に増減させて綴じ込むことができ、従来のようにカード収容枚数が制限されることがない。更にまた、レールホルダ５によって、文書、帳票、図面等のシート状物や、これらシート状物が複数枚、積層されたパンフレット、冊子等の各種書類をも必要に応じて綴じ込むことが可能となり、使い勝手の良いファイルを提供することができる。なお、上記実施形では、レールホルダ５、カードホルダ１０及びカバー６を直接重ねてクリップ７で綴じているが、レールホルダ５とカードホルダ１０との間、或いはカードホルダ１０とカバー６との間に各種書類を綴じ込むことも可能である。
【００３６】
更にまた、本実施形態では、カードホルダ１０の背部１１の両側縁に沿って凸部１３を設けているので、背部の長手方向におけるシート基材１の曲げ抵抗を高めてカードホルダ１０の形態安定性を向上させることができる。しかも、図３に示すように、クリップ７によってカードホルダ１０をファイル４１として綴じた際、これら凸部１３をレールホルダ５に引っ掛けることができ、カードホルダ１０の位置ズレを確実に防止することができると共に、ファイル４１自体の形態安定性も向上させることができる。
【００３７】
以上、本発明に係るカードホルダ、及びこのカードホルダを備えたファイルについて、それぞれ代表的な実施形態を説明したが、本発明に係るカードホルダ、ファイルはその他の形態でも実施することができる。
【００３８】
例えば、上記実施形態では、クリップ７によって一つのレールホルダ５、一つのカードホルダ１０及び一つのカバー６を綴じ合わせてファイル４１を構成しているが、本発明は決してこれに限定されるものではない。例えば、図４に示すファイル４２のように、カードホルダ１０だけを複数、重ね合わせ、各カードホルダ１０の各背部１１の両端にそれぞれ、クリップ８を装着して綴じるようにしても良い。この変形例において、クリップ８は上下二つの板状のクリップ板８１が連結部８２で一体に連結されて構成されており、上方のクリップ板８１にはガイド部を設けていない。
【００３９】
また、上記実施形態では、カードホルダ１０のシート基材１の各翼部１２に複数のポケットシート材２を互いにその一部を重ねるように配設し、複数のポケット２０を一列に縦列させているが、例えば、図５に示すカードホルダ１５のように、シート基材１の各翼部１２に複数のポケット２０を二列に縦列させても良い。このように複数列のポケット２０を縦列させる場合、隣り合うポケット２０のポケットシート材２の開口した片側の側辺部２３同士を対向させ、これら側辺部２３間に、押えシート材９を配設するようにしても良い。この場合、長板状の押えシート材９の中央を基部９１として各翼部１２に貼設し、この基部９１の両側に設けた押え部９２を、互いに隣り合う各側辺部２３に被せるようにしても良い。また、図５に示すように、複数のポケットシート材２を互いに重ねないように各翼部１２に配設すれば、多数のカード類を収納した際のカードホルダ１５の嵩張りを軽減することができる。
【００４０】
更にまた、上記実施形態では、複数のポケットシート材２をそれらの上辺部２４を同方向へ向けて配設しているが、例えば、図６に示すカードホルダ１６のように、ポケットシート材２Ａ、２Ｂの上辺部２４をそれぞれ異なる方向へ向けて配設しても良い。図６に示すカードホルダ１６の場合、各翼部１２における図面上側のポケットシート材２Ａは、その上辺部２４を下側へ向けて配設しており、図面下側のポケットシート材２Ｂは、その上辺部２４を上側へ向けて配設している。このように各ポケットシート材の上辺部２４を翼部１２の内側へ向けて配設することで、カードホルダ１６からカード類がより脱落し難くなり、また、多数のカード類を収納した際のカードホルダ１６の嵩張りを軽減することができる。また、このカードホルダ１６のように、翼部１２における背部１１側の内側位置に一方の側辺部２２を接合し、翼部１２の背部１１とは反対側の外側位置に他方の側辺部２３を接合せずに開口部とすることも可能である。
【００４１】
本発明はその趣旨を逸脱しない範囲内で、当業者の知識に基づき種々なる改良、修正、変形を加えた態様で実施し得るものである。また、同一の作用又は効果が生じる範囲内で、何れかの発明特定事項を他の技術に置換した形態で実施しても良く、また、一体に構成されている発明特定事項を複数の部材から構成しても、複数の部材から構成されている発明特定事項を一体に構成した形態で実施しても良い。
【図面の簡単な説明】
【００４２】
【図１】本発明に係るカードホルダの全体斜視図である。
【図２】本発明に係るカードホルダを備えたファイルの分解斜視図である。
【図３】本発明に係るカードホルダを備えたファイルの部分拡大側面図である。
【図４】本発明に係るカードホルダを備えたファイルの変形例を示す分解斜視図である。
【図５】本発明に係るカードホルダの変形例を示す平面図である。
【図６】本発明に係るカードホルダの他の変形例を示す平面図である。
【符号の説明】
【００４３】
１０、１５、１６；カードホルダ
１  ；シート基材
１１；背部
１２；翼部
１３；凸部
２、２Ａ、２Ｂ；ポケットシート材
２０；ポケット
２１；底辺部
２２；一方の側辺部
２３；他方の側辺部
２４；上辺部
３、９；押えシート材
４１、４２；カードホルダを備えたファイル
５；レールホルダ
５１；背板部
５２；挟持部
６；カバー
７、８；クリップ
７１、８１；クリップ板
７２、８２；連結部
【図１】
2005178286.tif 000003
【図２】
2005178286.tif 000004
【図３】
2005178286.tif 000005
【図４】
2005178286.tif 000006
【図５】
2005178286.tif 000007
【図６】
2005178286.tif 000008